(57)【要約】【課題】本発明は、触感による立体感を維持しつつ、耐汚染性及び意匠性に優れ、さらに視覚的な立体感を有する化粧シートを提供することを目的とする。【解決手段】化粧シート８は、シート基材１上に形成された絵柄模様層２と、絵柄模様層２上に形成された第１の表面保護層５と、第１の表面保護層５上に部分的に形成された第２の表面保護層６とを備えている。そして、第１の表面保護層５は、ウレタン結合を有する熱硬化型樹脂を含む。また、第２の表面保護層６は、合成樹脂からなるビーズ、または無機化合物のフィラーを含んでいる。【選択図】図１
2018199240.tif 000002
【特許請求の範囲】
【請求項１】
樹脂性の基材シート上に絵柄模様層、透明接着層、エンボスによる凹凸パターンを設けた透明熱可塑性樹脂層、表面保護層がこの順で形成され、前記透明熱可塑性樹脂層上に形成されたウレタン結合を有する熱硬化型樹脂を含む第１の表面保護層と、前記第１の表面保護層上に部分的に形成された第２の表面保護層とを備え、前記第２の表面保護層が、前記絵柄模様層の絵柄と同調したパターンで形成されることを特徴とする化粧シート。
【請求項２】
前記第２の表面保護層の表面は、シリカ粒子を５質量％以上３５質量％以下含むことを特徴とする、請求項１に記載の化粧シート。
【請求項３】
前記第２の表面保護層の表面は、接触式粗さ計で測定した最大高さＲｍａｘ値が３０μｍ以上であり、切断レベル５０高さ％における負荷長さ率Ｒｍｒが３〜３３％であることを特徴とする請求項１または２に記載の化粧シート。
【請求項４】
前記第２の表面保護層は、合成樹脂ビーズまたは無機化合物のフィラーを含むことを特徴とする請求項１から３のいずれか１項に記載の化粧シート。
【請求項５】
前記合成樹脂ビーズは、アクリル樹脂ビーズであることを特徴とする請求項１から４のいずれか１項に記載の化粧シート。
【請求項６】
前記第２の表面保護層は、電離放射線硬化型樹脂とシリカ粒子とを含むことを特徴とする、請求項１から５のいずれか１項に記載の化粧シート。
【請求項７】
前記第２の表面保護層は、ウレタン結合を有する熱硬化型樹脂とシリカ粒子とを含むことを特徴とする、請求項１から６のいずれか１項に記載の化粧シート。
【請求項８】
前記第１の表面保護層は、ウレタン結合を有する熱硬化型樹脂を含むことを特徴とする請求項１から７のいずれか１項に記載の化粧シート。
【発明の詳細な説明】
【技術分野】
【０００１】
本発明は、化粧シートに関する。
【背景技術】
【０００２】
従来、化粧シートとしては、例えば、特許文献１に記載の技術がある。この特許文献１に記載の技術では、シート基材上に形成された絵柄模様層と、絵柄模様層上に形成された艶消し層と、艶消し層上に形成された表面保護層とを備え、表面保護層は、表面保護層から突出した合成樹脂ビーズを含んでいる。これにより、化粧シートの表面に凹凸を設け、触感により立体感を感じさせるようになっている。また、絵柄層の二層以上有する同調化粧シートも、特許文献２の様な技術が知られている。
【先行技術文献】
【特許文献】
【０００３】
【特許文献１】特開２０１５−７７７０９号公報
【特許文献２】特開２０１５−１９９３１３号公報
【発明の概要】
【発明が解決しようとする課題】
【０００４】
しかし、上記特許文献１に記載の技術では、表面保護層がアクリル系の樹脂である。このため、化粧シートの表面の硬度が比較的低いため、耐傷性が低く、また、耐汚染性が低くなる可能性があった。また、上記特許文献２に記載の技術では、視覚的な立体感を得ることができるが、実際に触ってみると平面のままであり、違和感が残存する場合があった。
【０００５】
本発明は、上記のような点に着目したもので、触感による立体感を維持しつつ、耐汚染性及び意匠性に優れ、さらに視覚的な立体感を有する化粧シートを提供することを目的としている。
【課題を解決するための手段】
【０００６】
上記課題を解決するために、本発明の一態様は、シート基材上に形成された絵柄模様層と、絵柄模様層上に形成された第１の表面保護層と、第１の表面保護層上に部分的に形成された第２の表面保護層とを備え、第１の表面保護層は、ウレタン結合を有する熱硬化型樹脂を含み、第２の表面保護層は、合成樹脂ビーズまたは無機化合物のフィラーを含み、前記絵柄模様層の絵柄と同調したパターンで形成されることを特徴とする。
【発明の効果】
【０００７】
本発明の一態様によれば、第１の表面保護層を硬度の高い樹脂で形成するとともに、第２の表面保護層を形成したため、第１の表面保護層によって、耐傷性及び耐汚染性を向上できる。さらに、第２の表面保護層を、絵柄模様層の絵柄と同調したパターンで形成したため、従来以上の視覚的な立体感を付与でき、これにより視覚的な立体感と触感の立体感を同調させることができる。
【０００８】
従って、触感による立体感を維持しつつ、耐傷性及び耐汚染性に優れ、かつ視覚的な立体感を有する化粧シートを提供できる。
【図面の簡単な説明】
【０００９】
【図１】本発明の実施形態に係る化粧シートを表す断面模式図である。
【発明を実施するための形態】
【００１０】
次に、本発明の実施形態について図面を参照して説明する。ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００１１】
本実施形態の化粧シート８は、図１に示すように、シート基材１の一方の面（以下、表面と称す）側に、絵柄模様層２、透明接着層３および透明熱可塑性樹脂層４が積層され、更に第１の表面保護層５、第２の表面保護層６が積層されている。
【００１２】
また基材シート１における、絵柄模様層２とは反対側の面（以下、裏面と称す）には、樹脂層を構成する裏面樹脂コート層７が設けられている。なお、この裏面樹脂コート層は必要に応じて設けられるもので、必須ではない。
【００１３】
樹脂製の基材シート１は、例えば着色した熱可塑性樹脂からなる。熱可塑性樹脂としては、例えば塩化ビニル樹脂、アクリル樹脂、またポリオレフィン系のポリプロピレン樹脂あるいはポリエチレン樹脂、などを用いることができる。なかでも環境適合性や加工性、価格の点でポリオレフィン系樹脂を好ましく用いることができる。樹脂のグレードや組成は、そのほかにシーティングの容易さや印刷適性、曲げ加工に対する適性を考慮して選択することができる。
【００１４】
基材シート１を着色する場合には、化粧シートを貼り合せる基材を隠蔽し、また絵柄模様層２の下地色として色相を適宜、選択することができる。例えば熱可塑性樹脂のシーティングに際して、顔料などの着色剤を混合、練りこむなどしておくことで着色ができる。あるいは絵柄模様層２を設ける前にベタインキ層として、コーティングあるいは印刷の手法を用いて絵柄模様層２の下に着色層を設けることもできる。
【００１５】
絵柄模様層２は、シート基材１上に既知の印刷手法により形成され、意匠性を付与するための絵柄を付加するための層である。印刷手法は特に限定するものではないが、生産性や絵柄の品位を考慮すれば、例えばグラビア印刷法を用いることができる。絵柄としては、例えば、木目、コルク、石目、タイル、焼き物、抽象柄等、化粧シート８を用いる箇所に適した絵柄を選ぶことができる。
【００１６】
印刷インキについては、特に限定するものではないが、印刷方式に対応したインキを適宜選ぶことができる。とくに樹脂製の基材シート１に対する密着性や印刷適性また床材としての耐候性を考慮して選択することが好ましい。
【００１７】
また必要な場合には、絵柄模様層２と透明接着層３および透明接着層３と透明熱可塑性樹脂層４との接着性向上を目的として、絵柄模様層２の上に接着層（不図示）を設けても良い。この接着層（不図示）に用いる樹脂は特に限定するものではないが、例えば、２液硬化型ウレタン樹脂などを用いることができ、例えばコーティング装置やグラビア印刷装置などを用いて設けることができる。
【００１８】
透明接着層３は、基材シート１および絵柄模様層２と透明熱可塑性樹脂層４の接着を強固にする目的で設けられる。この接着が強固であることによって、化粧シート８に対し曲面や直角面に追随する曲げ加工性を付与することができる。
【００１９】
透明熱可塑性樹脂層４は、例えば塩化ビニル樹脂、アクリル樹脂、またポリオレフィン
系のポリプロピレン樹脂あるいはポリエチレン樹脂、などを用いることができる。なかでも環境適合性や加工性、価格の点でポリオレフィン系樹脂を好ましく用いることができる。
【００２０】
樹脂のグレードや組成は、そのほかにシーティングの容易さや印刷適性、曲げ加工に対する適性を考慮して選択することができる。特に曲げ加工性においては曲げ部の白化や割れが発生しないことを考慮して選択することが重要である。
【００２１】
透明接着層３と透明熱可塑性樹脂層４の形成は、例えば共押し出しで両者を同時に押し出して形成することができる。
【００２２】
透明熱可塑性樹脂層４によって、化粧シートは意匠的に厚みや深みが出る効果を有するほか、化粧シートの耐候性、耐磨耗性能を向上させることができる。
【００２３】
第１の表面保護層５は、透明熱可塑性樹脂層４上に形成され、透明熱可塑性樹脂層４の全体を被覆するシート状の層である。第１の表面保護層５は、第１の表面保護層５を通して、絵柄模様層２の絵柄を透視できる程度に透明または半透明な材料（樹脂）で形成されている。第１の表面保護層５は単層でも良く、また複数の層を重ねて表面保護層５としても良い。
【００２４】
第１の表面保護層５の材料としては、例えば、耐汚染性、耐傷性が良好であることから、熱硬化性樹脂が好ましい。熱硬化性樹脂としては、例えば、第２の表面保護層６との接着性、化粧シート８の変形追従性、耐擦傷性等を考慮すれば、２液硬化型ウレタン樹脂等のウレタン結合を有する熱硬化型樹脂（バインダー）を用いるのが好ましい。熱硬化型樹脂には、シリカ粒子等の艶消剤の添加を行ってもよい。また、溶剤としては、酢酸エチル、酢酸ｎブチルを用いることができる。
【００２５】
２液硬化型ウレタン樹脂としては、例えば、ポリオールを主体とし、イソシアネートを架橋剤（硬化剤）とするウレタン樹脂を用いることができる。ポリオールとしては、分子中に２個以上の水酸基を有するものであって、例えば、ポリエチレングリコール、ポリプロピレングリコール、アクリルポリオール、ポリエステルポリオール、ポリエーテルポリオール、ポリカーボネートポリオール、ポリウレタンポリオールを用いることができる。
【００２６】
また、イソシアネートとしては、分子中に２個以上のイソシアネート基を有する多価イソシアネートを用いることができる。例えば、２，４−トリレンジイソシアネート、キシレンジイソシアネート、４，４’−ジフェニルメタンジイソシアネート等の芳香族イソシアネート、或いは、１，６−ヘキサメチレンジイソシアネート、イソホロンジイソシアネート、水素添加トリレンジイソシアネート、水素添加ジフェニルメタンジイソシアネート等の脂肪族（乃至は脂環式）イソシアネートを用いることができる。また、上記各種イソシアネートの付加体又は多量体を用いることができる。
【００２７】
例えば、トリレンジイソシアネートの付加体、トリレンジイソシアネート３量体（ｔｒｉｍｅｒ）等がある。なお、上記イソシアネートにおいて脂肪族（乃至は脂環式）イソシアネートは、耐候性、耐熱黄変性も良好にできる点で好ましく、例えば１，６−ヘキサメチレンジイソシアネートを使用できる。
【００２８】
また、第１の表面保護層５は、ウレタン結合を有する熱硬化型樹脂、つまり、硬度が高い樹脂を含むため、表面に露出した部分だけでなく、第２の表面保護層６により表面に露出しない部分においても第１の表面保護層５によって、化粧シート８の耐傷性や耐汚染性を向上できる。
【００２９】
第２の表面保護層６は、第１の表面保護層５上に絵柄模様層２の絵柄と同調したパターンで部分的に形成され、第１の表面保護層５の一部を被覆する層である。これにより、化粧シート８の意匠を絵柄模様層２に由来する視覚と第２の表面保護層６の凹凸に由来する触感との両方で表現できる。
【００３０】
第２の表面保護層６は、例えば、第１の表面保護層５上の０．１％以上の面積に形成すればよい。この場合、第２の表面保護層６は絵柄模様層２と同調するため、絵柄模様層２も０．１％以上の面積に形成すればよい。この場合、極力第２の表面保護層６および絵柄模様層２がない領域が広くない方が好ましい。絵柄模様層２がない領域、すなわち第２の表面保護層６が設けられない領域があると、第１の表面保護層５の触感になってしまう。
【００３１】
本実施形態では、第１の表面保護層５を耐傷性や耐汚染性が高いものとしたため、第２の表面保護層６の面積が小さくても、化粧シート８を耐傷性や耐汚染性に優れたものとすることができる。
【００３２】
また、第２の表面保護層６は、第２の表面保護層６、第１の表面保護層５を通して、絵柄模様層２の絵柄を透視できる程度に透明または半透明な材料（樹脂）で形成されている。第２の表面保護層６の材料としては、例えば、電離放射線硬化型樹脂を用いる構成としてもよい。電離放射線硬化型樹脂としては、例えば、紫外線硬化型樹脂が好ましい。紫外線硬化型樹脂としては、例えば、（メタ）アクリル系樹脂、シリコーン系樹脂、ポリエステル系樹脂、ウレタン系樹脂、アミド系樹脂、エポキシ系樹脂を使用できる。これにより、第２の表面保護層６、つまり、化粧シート８の最表面層の硬度を向上でき、化粧シート８の耐摩耗性や、耐擦傷性、耐溶剤性等の表面物性を向上できる。また、例えば、バインダーとして、熱硬化型樹脂と電離放射線硬化型樹脂との混合物を用いる構成としてもよい。
【００３３】
また、本実施形態では、熱硬化型樹脂に、合成樹脂ビーズを添加する例を示したが、他の構成を採用してもよく、例えば、無機化合物のフィラーを添加する構成としてもよい。
【００３４】
また、第２の表面保護層６の形状は、絵柄模様層２と同調していれば特に限定されず、丸、四角形、六角形等の規則的に並んだ定形の形状としてもよく、不定型な絵柄形状としてもよい。
【００３５】
このように、第２の表面保護層６を絵柄模様層２の絵柄と同調したパターンで形成することにより、第２の表面保護層６と絵柄模様層２で、視覚的な立体感を適切に表現できる。また、電離放射線硬化型樹脂は、硬度が高いため、化粧シート８の耐傷性や耐汚染性をさらに向上できる。
【００３６】
第２の表面保護層６に含まれるシリカ粒子は、熱硬化性樹脂の全質量に対し、５質量％以上含むのが好ましい。これにより、第２の表面保護層６の光沢を十分に低下でき、第２の表面保護層６と第１の表面保護層５との光沢差を調整することができる。それゆえ、第１の表面保護層５の全面積に対し、第２の表面保護層６の面積が小さくても、視覚的な立体感を適切に感じさせることができる。なお、シリカ粒子の上限は、ブロッキングや耐汚染性の低下を防ぐため、熱硬化性樹脂の全質量に対し、３５質量％以下とする。
【００３７】
表面保護層６に添加するビーズとしては、例えば、合成樹脂ビーズとして透明度の高いアクリル樹脂ビーズ、あるいは表面処理した無機質のフィラーを用いることができる。バインダー樹脂との密着を考慮しアクリル樹脂ビーズが好ましい。これにより、第２の表面保護層６の透明度を向上でき、意匠を付与するための絵柄模様層２の絵柄をより明瞭に透
視することができる。添加するビーズの平均粒径は、第２の表面保護層６への埋設を防ぎ、また、耐傷性を確保するため、３０μｍ以上とする。また、溶剤としては、酢酸エチル、酢酸ｎブチルを用いることができる。
【００３８】
また、第２の表面保護層６の表面は、接触式粗さ計で測定した最大高さＲｍａｘ値を３０μｍ以上とし、切断レベル５０高さ％における負荷長さ率Ｒｍｒが３〜３３％とする。Ｒｍｒがこれより低いとまばらで凹凸感に欠け、高いと逆に凹凸感がなく平滑に感じることを見出した。これにより、触感による立体感をより適切に感じさせることができる。
【００３９】
このように、本実施形態では、第２の表面保護層６を絵柄模様層２の絵柄と同調したパターンで形成することにより、第２の表面保護層６と絵柄模様層２で、視覚的な立体感を適切に表現できる。さらに、第２の表面保護層６にビーズまたはフィラーを含むため、触感により立体感を感じさせることができる。
【００４０】
本実施形態に係る発明は、以下の効果を奏する。本実施形態に係る化粧シート８は、シート基材１上に形成された絵柄模様層２と、絵柄模様層２上に形成された第１の表面保護層５と、第１の表面保護層５上に部分的に形成された第２の表面保護層６とを備えている。そして、第１の表面保護層５は、ウレタン結合を有する熱硬化型樹脂を含む。また、第２の表面保護層６は、ビーズまたは無機化合物のフィラーを含んでいる。
【００４１】
このように、第１の表面保護層５を硬度の高い樹脂で形成するとともに、第２の表面保護層６を、絵柄模様層２の絵柄と同調したパターンで形成したため、触感による立体感を維持しつつ、耐傷性及び耐汚染性に優れ、かつ視覚的な立体感を有する化粧シートを提供できる。
【００４２】
本実施形態に係る化粧シート８のような、第２の表面保護層６がシリカ粒子を５質量％以上３５質量％以下含んでいる構成によれば、第２の表面保護層６に含まれるシリカ粒子を５質量％以上とし、比較的多くしたため、第２の表面保護層６の光沢を十分に低下でき、第２の表面保護層６と第１の表面保護層５との光沢差を増大できる。それゆえ、例えば、第２の表面保護層６の面積が小さくても、視覚的な立体感を適切に感じさせることができる。
【００４３】
また、本実施形態に係る化粧シート８のような、第２の表面保護層６の表面が、接触式粗さ計で測定した最大高さＲｍａｘ値が３０μｍ以上であり、切断レベル５０高さ％における負荷長さ率Ｒｍｒが３〜３３％である構成によれば、触感による立体感をより適切に感じさせることができる。
【００４４】
また、本実施形態に係る化粧シート８のような、表面保護層６に添加されるビーズが、アクリル樹脂ビーズである構成によれば、第２の表面保護層６の透明度を向上でき、第２の表面保護層６を通して、意匠を付与するための絵柄模様層２の絵柄をより明瞭に透視できる。
【００４５】
また、本実施形態に係る化粧シート８のような、第２の表面保護層６が、電離放射線硬化型樹脂とシリカ粒子とを含む構成によれば、第１の表面保護層５等の隣接する層との接着性や、化粧シート８の変形追従性、耐傷性を向上できる。
【００４６】
また、本実施形態に係る化粧シート８のような、第１の表面保護層５が、ウレタン結合を有する熱硬化型樹脂を含む構成によれば、絵柄模様層２、第２の表面保護層６等の他の層との接着性や、化粧シート８の変形追従性、耐傷性を向上できる。
【符号の説明】
【００４７】
１    シート基材
２    絵柄模様層
３    透明接着層
４    透明熱可塑性樹脂層
５    第１の表面保護層
６    第２の表面保護層
７    裏面樹脂コート層
８    化粧シート
【図１】
2018199240.tif 000003